(57)【要約】      （修正有）【課題】ディフューザの流れを幅方向に一様化させ、作動範囲を広く確保して圧縮機の効率を維持し、流体機械を小形化したターボ型流体機械。【解決手段】ターボ型流体機械のディフューザ２を構成する側板側ディフューザ板１４と心板側ディフューザ板９の両流路壁面に円弧状の案内羽根７を設置し、ディフューザ出口の二つの案内羽根１２，１３の羽根高さの和がディフューザの出口流路幅の３０〜７０％の範囲となるように設定し、側板側ディフューザ板の流路壁面の半径方向からの傾き角をθｓ、側板側ディフューザ板の壁面上に設置された案内羽根の入口の周方向からの入口羽根角をβｓ，ｉｎ、心板側ディフューザ板の流路壁面の半径方向からの傾き角をθｈ、心板側ディフューザ板の壁面上に設置された案内羽根の入口の周方向からの入口羽根角をβｈ，ｉｎとした場合に、４つの角度が次式を満たし、Ｋが、Ｋ＜０の関係を満たすように設定する。2011089460.tif 000006【選択図】図１
2011089460.tif 000002
【特許請求の範囲】
【請求項１】
羽根車と、羽根車の下流に位置しており、対向する一対の側板側ディフューザ板と心板側ディフューザ板とによってディフューザの流路壁面を構成すると共に、その流路幅が下流に向かって大きくなるように形成されたディフューザとを備えたターボ型流体機械において、
前記ディフューザの対向する側板側ディフューザ板と心板側ディフューザ板の両流路壁面に、流路幅より高さが低い円弧状の案内羽根を複数の翼列状にそれぞれ設置し、ディフューザ出口における前記二つの案内羽根の羽根高さの和が前記ディフューザの出口流路幅の３０〜７０％の範囲となるように設定し、
側板側ディフューザ板の流路壁面の半径方向からの傾き角をθｓ、この側板側ディフューザ板の壁面上に設置された案内羽根の入口の周方向からの入口羽根角をβｓ，ｉｎ、心板側ディフューザ板の流路壁面の半径方向からの傾き角をθｈ、この心板側ディフューザ板の壁面上に設置された案内羽根の入口の周方向からの入口羽根角をβｈ，ｉｎとした場合に、上記４つの角度が次式を満たし、
【数１】
2011089460.tif 000005
前記式のＫが、Ｋ＜０の関係を満たすように設定されていることを特徴とするターボ型流体機械。
【請求項２】
請求項１に記載のターボ型流体機械において、
１≦｜Ｋ｜≦２
であることを特徴とするターボ型流体機械。
【請求項３】
請求項１または請求項２に記載のターボ型流体機械において、
前記ディフューザに設置した前記案内羽根の周方向から測った羽根角度における出口羽根角度が入口羽根角度よりも小さくなるように構成したことを特徴とするターボ型流体機械。
【請求項４】
請求項１に記載のターボ型流体機械において、
６≦θｓ＋θｈ≦１２を満たすように構成したことを特徴とするターボ型流体機械。
【請求項５】
請求項１乃至請求項４の何れか１項に記載のターボ型流体機械において、
前記傾き角θｓ＝０、若しくは前記傾き角θｈ＝０を満たすように構成したことを特徴とするターボ型流体機械。
【請求項６】
請求項１乃至請求項４の何れか１項に記載のターボ型流体機械において、
前記案内羽根の形状が前記側板側ディフューザ板及び心板側ディフューザ板の壁面に垂直に設けられていることを特徴とするターボ型流体機械。
【請求項７】
請求項１乃至請求項６の何れか１項に記載のターボ型流体機械において、
側板側ディフューザ板の壁面に設置した案内羽根の前縁位置と、心板側ディフューザ板の壁面に設置した案内羽根との前縁位置を、周方向にずらしてそれぞれ配設したことを特徴とするターボ型流体機械。
【請求項８】
請求項１乃至請求項６の何れか１項に記載のターボ型流体機械において、
側板側ディフューザ板の壁面に設置した案内羽根の前縁位置と、心板側ディフューザ板の壁面に設置した案内羽根との前縁位置を、羽根車の外径の１．０５倍よりも内周側に設置したことを特徴とするターボ型流体機械。
【請求項９】
請求項１乃至請求項８の何れか１項に記載のターボ型流体機械において、
前記案内羽根のキャンバー線が一円弧で構成されていることを特徴とするターボ型流体機械。
【発明の詳細な説明】
【技術分野】
【０００１】
本発明は、ターボ型流体機械に係り、特に、遠心圧縮機あるいは遠心送風機など高性能を維持し小型化に好適なターボ型流体機械に関するものである。
【背景技術】
【０００２】
ターボ型流体機械の１つである回転する羽根車によって流体を圧縮する遠心圧縮機は、従来から様々なプラントに広く用いられている。最近では、エネルギー問題や環境問題のため、その運用費などを含めたライフサイクルコストが重要視される傾向にあり、広い作動範囲で高効率を達成する圧縮機が求められている。
【０００３】
回転数一定の運転を考えた場合、圧縮機の作動範囲は、小流量側での運転限界であるサージ限界と、大流量側での運転限界であるチョーク限界に挟まれた領域として定義される。
【０００４】
ところで、圧縮機の流量をサージ限界以上に減少させた場合、流れが圧縮機内部で剥離し、吐出圧力や流量の変動が生じるため、安定に運転することができない。
【０００５】
また、チョーク限界以上に大流量化しようと圧縮機の吐出圧を下げても、流れが圧縮機内部で音速に達し、チョーク限界以上に流量を増やすことができない。
【０００６】
一般に、従来のターボ型流体機械であるターボ型圧縮機あるいは送風機においては、羽根車の下流には運動エネルギーを圧力エネルギーに変換するため羽根なしディフューザや羽根付きディフューザが設けられている。
【０００７】
ディフューザの下流には、ディフューザから吐出される流れを集めるためのスクロールケーシングあるいは次段に流れを導くための戻り流路が設けられている。  
また、従来の遠心圧縮機のディフューザとしては、羽根車の下流に、向かい合う一対のディフューザ板で流路壁面を構成し、流路幅が下流に向かって一定であるような羽根なしディフューザが知られている。しかしながら、羽根なしディフューザを用いた遠心圧縮機は、作動範囲は広いが効率が低いという欠点があった。
【０００８】
また、一対のディフューザ板の間に高さが一定で流路幅とほぼ等しい案内羽根を円型翼列状に設けたディフューザ、いわゆる羽根付きディフューザも知られている。この羽根付きディフューザを用いた遠心圧縮機は、設計流量点の効率は高いが、作動範囲は狭いという欠点があった。
【０００９】
そこで、改良されたディフューザとして、例えば特開平１１−８２３８９号公報には、ディフューザの側板側流路壁面を、流路幅が下流に向かって大きくなるように傾けるとともに、ディフューザの側板側と心板側との両方の流路壁面上に高さがディフューザ出口幅の４０〜６０％に形成された案内羽根を設けた構成が開示されている。
【００１０】
この特開平１１−８２３８９号公報に記載されたディフューザの構成では、流路幅が下流に向かって拡大されて形成されているため、平行壁羽根なしディフューザの場合よりも半径方向の圧力勾配が大きくでき、かつ、流路壁面上に案内羽根が付いているため、大きくなった圧力勾配下であっても流路壁面上での逆流を防止することが可能となるものである。
【先行技術文献】
【特許文献】
【００１１】
【特許文献１】特開平１１−８２３８９号公報
【発明の概要】
【発明が解決しようとする課題】
【００１２】
しかしながら、特開平１１−８２３８９号公報に記載されたディフューザには、拡大する流路壁面に案内羽根を設置する適切な角度についての開示はなく、よって案内羽根を単に設置するだけでは却ってディフューザの性能を劣化させる可能性があった。また、案内羽根を単に設置するだけでは案内羽根が流路壁面上の逆流を防ぐための整流板としての機能を十分に果たせず、ディフューザの作動範囲が狭くなってしまう可能性があった。
【００１３】
ところで、一般にディフューザについては、圧縮機のコスト低減のため小形化の要求が強い。従来の案内羽根なし、あるいは案内羽根付きディフューザでディフューザ出口径を小さくして小形化を図った場合は、ディフューザの流路幅が一定であるため、ディフューザ出口の流速が高くなる。ディフューザ下流の要素（例えば、スクロール、戻り流路等）の損失はディフューザ出口の運動エネルギー（動圧）に比例するから、下流の前記要素の損失が増加して圧縮機の効率が低下するという問題点があった。
【００１４】
本発明の目的は、ディフューザ内の逆流を防止すると共にディフューザの流れを幅方向に一様化させ、ディフューザの作動範囲を広く確保して圧縮機の効率を維持し、流体機械を小形化するターボ型流体機械を提供することにある。
【課題を解決するための手段】
【００１５】
本発明のターボ型流体機械は、羽根車と、羽根車の下流に位置しており、対向する一対の側板側ディフューザ板と心板側ディフューザ板とによってディフューザの流路壁面を構成すると共に、その流路幅が下流に向かって大きくなるように形成されたディフューザとを備えたターボ型流体機械において、前記ディフューザの対向する側板側ディフューザ板と心板側ディフューザ板の両流路壁面に、流路幅より高さが低い円弧状の案内羽根を複数の翼列状にそれぞれ設置し、ディフューザ出口における前記二つの案内羽根の羽根高さの和が前記ディフューザの出口流路幅の３０〜７０％の範囲となるように設定し、側板側ディフューザ板の流路壁面の半径方向からの傾き角をθｓ、この側板側ディフューザ板の壁面上に設置された案内羽根の入口の周方向からの入口羽根角をβｓ，ｉｎ、心板側ディフューザ板の流路壁面の半径方向からの傾き角をθｈ、この心板側ディフューザ板の壁面上に設置された案内羽根の入口の周方向からの入口羽根角をβｈ，ｉｎとした場合に、上記４つの角度が次式を満たし、
【００１６】
【数１】
2011089460.tif 000003
【００１７】
前記式のＫが、Ｋ＜０の関係を満たすように設定されていることを特徴とする。
【発明の効果】
【００１８】
本発明によれば、ディフューザ内の逆流を防止すると共にディフューザの流れを幅方向に一様化させ、ディフューザの作動範囲を広く確保して圧縮機の効率を維持し、流体機械の小形化を達成するターボ型流体機械が実現できる。
【図面の簡単な説明】
【００１９】
【図１】本発明の第１実施例に係る遠心圧縮機の構造を示す断面図。
【図２】図１に示した第１実施例の遠心圧縮機におけるディフューザ部を示す断面図。
【図３】図２に示した第１実施例のディフューザ部を半径方向に示した断面図。
【図４】比較例の遠心圧縮機におけるディフューザ部における子午面の流速を示す図。
【図５】図４の比較例のディフューザ部における子午面の流線を示す図。
【図６】図１乃至図３に示した第１実施例のディフューザ部における子午面の流速を示す図。
【図７】図６の実施例のディフューザ部における子午面の流線を示す図。
【図８】別の比較例である遠心圧縮機におけるディフューザ部における子午面の流速を示す図。
【図９】図８の比較例のディフューザ部における子午面の流線を示す図。
【図１０】本発明の第２実施例に係る遠心圧縮機におけるディフューザ部について子午面の流速を示す図。
【図１１】図１０に示した第２実施例のディフューザ部における子午面の流線を示す図。
【図１２】図１０に示した第２実施例のディフューザ部におけるディフューザ壁面の傾き角と案内羽根の入口羽根角度を示す概念図。
【図１３】図１０に示した第２実施例のディフューザ部におけるディフューザ壁面の傾き角と案内羽根の入口羽根角度との関係を示す関係図。
【発明を実施するための形態】
【実施例１】
【００２０】
本発明の第１実施例のターボ型流体機械である遠心圧縮機について、図面を参照して詳細に説明する。
【００２１】
図１は本発明の第１実施例に係る遠心圧縮機１００の構造を示す断面図であり、図２は、図１に示した遠心圧縮機１００のディフューザの案内羽根の詳細である。
【００２２】
図１に示すように、本実施例の遠心圧縮機１００は、ケーシング１６の内部に、回転駆動する回転軸５と、この回転軸５の外周側に設置され、側板８と心板６との間に作動流体１１の流れを案内する相互に離間して配設された複数枚の羽根７を有する羽根車１とが備えられている。
【００２３】
前記ケーシング１６の内部で、羽根車１の下流となる該羽根車１の半径方向外方には、案内羽根１２、１３を有するディフューザ２が設けられている。
【００２４】
ディフューザ２の下流となる前記ケーシング１６の内部には、ディフューザ２から吐出された作動流体１１の流れの向きを変えるためのリターンベンド３、およびリターンベーン４が設けられている。
【００２５】
羽根車１の上流となる前記ケーシング１６の内壁には、吸込み管１５である。
【００２６】
ディフューザ２は、作動流体１１を流下させるように対向して流路壁面を形成する向かい合う一対の側板側ディフューザ板１４と心板側ディフューザ板９を備え、更に側板側ディフューザ板１４の流路壁面に円形翼列状に取り付けられた案内羽根１２と、心板側ディフューザ板９の流路壁面に円形翼列状に取り付けられた案内羽根１３とから構成されている。
【００２７】
心板側ディフューザ板９の流路壁面は、ディフューザ２の流路幅が下流に向かって大きくなるように、半径方向に対し傾きをもって形成されている。
【００２８】
また、側板側ディフューザ板１４の流路壁面上に取り付けられた円弧状の案内羽根１２と、心板側ディフューザ板９の流路壁面上に取り付けられた円弧状の案内羽根１３との高さの合計は、ディフューザ２の流路幅より小さく、羽根高さは該ディフューザ２の流路の入口から出口に向かって、すなわち下流に向かって高くなるように形成されている。
【００２９】
図１に示した本実施例の遠心圧縮機１００の場合、ディフューザ２の出口における、案内羽根１２と案内羽根１３の羽根高さの合計は、ディフューザ２の出口流路幅の約６０％に相当している。
【００３０】
図２及び図３は図１に示した本実施例の遠心圧縮機１００のディフューザ部２の詳細であり、図３は図２のＡ−Ａ方向の矢視図である。図２及び図３に示したディフューザ部２では、側板側ディフューザ板１４に設置した案内羽根１２の接線方向から測った入口における入口羽根角度をβｓ，ｉｎ、出口における出口羽根角度をβｓ，ｏｕｔ、と称する。
【００３１】
同様に、心板側ディフューザ板９に設置した案内羽根１３の接線方向から測った入口における入口羽根角度をβｈ，ｉｎ、出口における出口羽根角度をβｈ，ｏｕｔと呼ぶことにする。
【００３２】
このとき、本実施例のディフューザ部２における側板側ディフューザ板１４に設置した案内羽根１２、及び心板側ディフューザ板９に設置した案内羽根１３は、案内羽根１２の入口羽根角度βｓ，ｉｎ、及び出口羽根角度βｓ，ｏｕｔが、それぞれ心板側ディフューザ板９に設置した案内羽根１３の入口羽根角度βｈ，ｉｎ、及び出口羽根角度βｈ，ｏｕｔよりも大きくなるように設定されている。
【００３３】
すなわち、側板側ディフューザ板１４の案内羽根１２は心板側ディフューザ板９の案内羽根１３よりも半径方向に立った形に設置されている。
【００３４】
さらに各案内羽根１２及び各案内羽根１３ごとに、入口羽根角度βｓ，ｉｎ、入口羽根角度βｈ，ｉｎが、出口羽根角βｓ，ｏｕｔ、出口羽根角βｈ，ｏｕｔよりもそれぞれ小さくなるように設定されている。
【００３５】
また、複数個設置された各案内羽根１２、及び各案内羽根１３の前縁は、羽根車１の出口のごく近傍、例えば羽根車１の外半径の１〜１．０５倍の半径位置に、その周方向位置をずらせた態様でそれぞれ設置されている。
【００３６】
本実施例の遠心圧縮機１００を運転すると、作動流体１１は吸込み管１５を通じてケーシング１６の内部の羽根車１に吸い込まれ、回転軸５の駆動によって回転する羽根車１内でエネルギーを与えられたのち、羽根車１から吐き出される。羽根車１から吐き出された高速の作動流体１１は羽根車１の下流側となるケーシング１６の内部に設けたディフューザ２に流入する。
【００３７】
このディフューザ２によって作動流体１１の流れは減速されて整流されたのち、ディフューザ２の下流側に位置するケーシング１６の内部のリターンベンド３、および前記リターンベンド３の下流側に位置するリターンベーン４に流入した後に、前記作動流体１１はリターンベーン４から排出される。
【００３８】
本実施例による遠心圧縮機１００の作用効果について、図６及び図７に示した本実施例の遠心圧縮機１００のディフューザ部２の構成を参照にして、比較のために図４及び図５に示した比較例である前記本実施例の遠心圧縮機１００のディフューザ部２の側板側ディフューザ板１４及び心板側ディフューザ板９に案内羽根を備えていないディフューザ２の構成とを比較しながら以下に説明する。
【００３９】
遠心圧縮機１００の各ディフューザ２を示した図４乃至図７は、遠心圧縮機１００の羽根車１の下流側に設置したディフューザ２の流路形状とディフューザ２の内部を流れる作動流体の流れ（子午面速度）分布を示すもので、ディフューザ２の流路幅が上流から下流に向かって大きくなっている構成である。
【００４０】
このうち、比較例のディフューザ２を示した図４及び図５が、側板側ディフューザ板１４及び心板側ディフューザ板９に案内羽根を備えていない場合の遠心圧縮機におけるディフューザ２の流路形状と、ディフューザ２の内部を流れる作動流体の流れを示している。
【００４１】
そして、図６及び図７が本実施例のディフューザ２である側板側ディフューザ板１４に案内羽根１２を設置し、心板側ディフューザ板９に案内羽根１３を設置した場合の遠心圧縮機１００におけるディフューザ２の流路形状と、ディフューザ２の内部を流れる作動流体の流れを示したものである。
【００４２】
まずは、本実施例の遠心圧縮機１００がもたらす作用効果の原理を説明するため、現象が比較的簡単な、ディフューザの流路幅を形成する側板側ディフューザ板１４の壁面と、心板側ディフューザ板９の壁面とが下流側に向かってほぼ対称に広がっている図３図６及び図７に示した場合の遠心圧縮機１００のディフューザ２を用いて説明する。
【００４３】
図６及び図７の本実施例のディフューザ２に示すように、ディフューザ２の内部を流れる作動流体１１の流れは、ディフューザ２の流路の中央部分を流れる流速の速い主流域と、ディフューザ２の側板側の壁面と心板側の壁面との両壁面上に発達した流速の遅い境界層域とに分けることができる。
【００４４】
角運動量保存の法則により、流速の速い前記主流域を流れる作動流体１１の主流２１の周方向速度はディフューザ２の外周側へ行くほど減速する。
【００４５】
また、質量保存の法則により、作動流体１１の主流２１の半径方向速度はディフューザ２の外周側へ行くほど減速する。
【００４６】
これらの効果により、ディフューザ２の流路を流れる作動流体１１の主流２１の流速はディフューザ２の外周側へ行くほど低下し、その分、作動流体１１の圧力が上昇する。
【００４７】
図６及び図７の本実施例のディフューザ２と、比較例の図４及び図５のディフューザ２に、作動流体１１の主流２１の流線と、ディフューザ２の側板側の壁面と心板側の壁面との両壁面近傍の境界層域内を流れる境界層流２２の流線をそれぞれ示す。
【００４８】
図５に示したように、比較例のディフューザ２においては、流速の速い主流２１に比べて流速の遅い境界層域内を流れる境界層流２２の流れは、主流２１の圧力勾配に打ち勝てず、主流２１よりも急激に半径方向の流速が減速するため、主流２１の流線よりも早めに周方向を向く流れの流線となる。そして、ディフューザ２の出口に近づくにつれ、境界層域内を流れる境界層流２２の流れの半径方向速度の減速が顕著となり、ついには剥離や逆流が発生することになる（図４及び図５）。
【００４９】
このような逆流は、ディフューザ２の側板側ディフューザ板１４の壁面と心板側ディフューザ板９の壁面との壁面近傍の境界層域で発生し、ディフューザ２の流路幅の拡大が急激なほど顕著となる。
【００５０】
また、逆流は、ディフューザ２の流路幅の拡大の仕方に係らず、案内羽根１２、１３を備えていないディフューザ２の側板側ディフューザ板１４の壁面や心板側ディフューザ板９の壁面であるディフューザ２の壁面で発生する。
【００５１】
逆流が発生すると、ディフューザ２の流路となる有効流路面積が小さくなるためディフューザ２での減速は小さくなり、主流２１の圧力回復量が減少してディフューザ２の性能が劣化することになる。
【００５２】
また、ディフューザ２の下流の要素（リターンベンド３、リターンベーン４等）での損失は、ディフューザ２の出口の流れの運動エネルギー（動圧）に比例するため、リターンベンド３やリターンベーン４での損失も増加することになる。その結果、遠心圧縮機の性能は大幅に低下する。
【００５３】
これに対して、本実施例の遠心圧縮機１００のディフューザ２においては、図３（ｂ）図６及び図７に示したように、逆流が発生しそうな側板側ディフューザ板１４と、心板側ディフューザ板９との壁面上に、ディフューザ２の流路幅よりも高さが低く、ディフューザ２の出口における羽根高さが出口流路幅の約６０％である円弧状の案内羽根１２及び案内羽根１３がそれぞれ相互に離間して複数個設けられている。
【００５４】
図７に示したように、本実施例のディフューザ２においては、これらの案内羽根１２、１３が境界層近傍の境界層流２２の流れを主流２１の流れに沿うように整流化してくれるため、境界層の剥離や逆流が回避され、ディフューザ２の損失が低減できる。
【００５５】
さらに、逆流が防止されたことにより、ディフューザ２の側板側ディフューザ板１４の壁面と、ディフューザ２の心板側ディフューザ板９の壁面の壁面近傍にも流体が流れるようになるため、主流域を流れる主流２１の流体の子午面速度が減少する。
【００５６】
ゆえに、ディフューザ２の出口の流速は、案内羽根１２及び案内羽根１３が備えていない場合の比較例の図４及び図５の場合に比べて大幅に小さくなり、その分だけ流体の圧力が向上するので、遠心圧縮機１００の性能向上に寄与する。
【００５７】
また、本実施例のディフューザ２においては、ディフューザ２の減速が大きくなるのでディフューザ２の出口の動圧も小さくなり、リターンベンド３やリターンベーン４の損失も減少するので遠心圧縮機の性能は大幅に向上することになる。
【００５８】
また、ディフューザで逆流が発生せずに減速が得られるので、その結果、遠心圧縮機の大幅な小形化が可能になる。
【００５９】
本実施例のディフューザ２は、下流へ行くほど流路幅が大きくなっているため、作動流体１１の主流２１の流れ角はディフューザ２の出口が近づくにつれ周方向を向く傾向にある。すなわち、ディフューザ２出口の流れ角は入口よりも小さくなる。
【００６０】
本実施例のディフューザ２における側板側ディフューザ板１４に設けた円弧状の案内羽根１２、及び心板側ディフューザ板９に設けた円弧状の案内羽根１３は、各案内羽根ごとに、入口羽根角βｓ，ｉｎ、βｈ，ｉｎが出口羽根角βｓ，ｏｕｔ、βｈ，ｏｕｔよりもそれぞれ小さくなるように設定されている。
【００６１】
よって、作動流体１１の主流２１の状況に合わせて、境界層域の流れを適切に整流化することができ、案内羽根を設置したことによる主流部の損失の増大を招くことなく、壁面境界層の剥離、逆流を防ぐことができる。その結果、遠心圧縮機１００の性能を改善できることは、上に述べた通りである。
【００６２】
本実施例のディフューザ２では、案内羽根１２、１３の前縁位置が、ディフューザ２の上流側に位置する羽根車１の出口、すなわちディフューザ２の入口部に近接して配設してあるため、羽根車１の内部で発達した境界層があったとしても、ディフューザ２の入口部から逆流を適切に防ぐことができる。
【００６３】
本実施例のディフューザ２においては、上記した構成にすることで、図４及び図５の比較例のディフューザでは生じていた境界層域を流れる境界層流２の流れの急速な転向が抑制され、ディフューザ２での減速を増加させて圧力回復を向上させることができる。
【００６４】
さらに、本実施例のディフューザ２においては、案内羽根１２、１３の前縁位置が周方向にずれて設置された構成を採用しているため、案内羽根１２及び案内羽根１３の前縁が羽根車１の羽根７と同時に干渉することがなく、よって大きな騒音の発生を抑える効果もある。
【００６５】
本実施例のディフューザ２では、案内羽根１２、１３のディフューザ２の出口における案内羽根１２、１３の羽根高さはディフューザ２の出口の流路幅の約６０％に形成された例を説明したが、円弧状の案内羽根１２、１３は、ディフューザ２の出口における羽根高さが該ディフューザ２の出口流路幅の３０〜７０％の範囲に形成されたものであれば、前述と同様の効果が期待される。
【００６６】
この案内羽根１２、１３の羽根高さは、ディフューザ２の心板側ディフューザ板９及び側板側ディフューザ板の壁面上に発達した境界層厚さよりも高くすることが必要であるだが、案内羽根１２、１３の羽根高さをあまり高くしすぎると主流２１の衝突損失の増大を招くことになるため、流れの状況にあわせた上記した範囲の適度な羽根高さを設定することが重要である。
【００６７】
本実施例によれば、ディフューザ内の逆流を防止すると共に、側板側の案内羽根と心板側の案内羽根の入口羽根角を適切に設定してディフューザの流れを幅方向に一様化させ、ディフューザの作動範囲を広く確保して圧縮機の効率を維持し、流体機械の小形化を達成するターボ型流体機械が実現できる。
【実施例２】
【００６８】
次に本発明の第２実施例である遠心圧縮機１００におけるディフューザ２について説明する。
【００６９】
本実施例である遠心圧縮機１００のディフューザ２は、先に説明した第１実施例の遠心圧縮機１００のディフューザ２と基本的な構成が同じであるので、両者に共通した構成の説明は省略し、相違する部分のみ以下に説明する。
【００７０】
遠心圧縮機１００の各ディフューザ２を示した図８乃至図１１は、遠心圧縮機１００の羽根車１の下流側に設置したディフューザ２の流路形状とディフューザ２の内部を流れる作動流体の流れ（子午面速度）分布を示すもので、ディフューザ２の流路幅が上流から下流に向かって大きくなっている構成である。
【００７１】
このうち、本実施例のディフューザ２を示した図１０及び図１１と、比較例のディフューザ２を示した図８及び図９が、側板側ディフューザ板１４及び心板側ディフューザ板９が、半径方向に対して非対称的に傾斜して形成されている場合におけるディフューザ２の流路形状と、ディフューザ２の内部を流れる作動流体の流れをそれぞれ示している。
【００７２】
即ち、側板側ディフューザ板１４は半径方向に傾斜のない壁面として配設されているのに対して、この側板側ディフューザ板１４に面した心板側ディフューザ板９の壁面が半径方向に傾斜した壁面として形成されている。
【００７３】
更に、比較例のディフューザ２を示した図８及び図９が、側板側ディフューザ板１４及び心板側ディフューザ板９に案内羽根を備えていない場合の遠心圧縮機におけるディフューザ２の流路形状と、ディフューザ２の内部を流れる作動流体の流れを示している。
【００７４】
そして、図１０及び図１１が本実施例のディフューザ２である側板側ディフューザ板１４に案内羽根１２を設置し、心板側ディフューザ板９に案内羽根１３を設置した場合の遠心圧縮機１００におけるディフューザ２の流路形状と、ディフューザ２の内部を流れる作動流体の流れを示したものである。
【００７５】
本実施例の遠心圧縮機１００のディフューザ２を構成する非対称的に傾斜した側板側ディフューザ板１４及び心板側ディフューザ板９の壁面に、案内羽根１２及び案内羽根１３をそれぞれ設置した場合においても、そのディフューザ２による作用効果は原理的に先に説明した図４乃至図７のディフューザ２の場合と基本的に同様である。
【００７６】
しかしながら、本実施例の遠心圧縮機１００のディフューザ２では、側板側ディフューザ板１４及び心板側ディフューザ板９の壁面に配設した案内羽根１２及び案内羽根１３の効果を十分に引き出すためには、側板側ディフューザ板１４及び心板側ディフューザ板９の壁面の傾斜が非対称的に形成されていることを考慮した工夫が更に必要となる。
【００７７】
つまり、側板側ディフューザ板１４及び心板側ディフューザ板９の壁面が、半径方向に対して非対称的に傾斜している場合、図８及び図９の比較例に示すように、ディフューザ２を流れる作動流体１１の主流２１のうち、傾斜の大きい心板側ディフューザ板９の壁面に近い側の主流２１ｈは子午面流速の減速が大きく、傾斜の小さい側板側ディフューザ板１４の壁面に近い側の主流２１ｓは子午面流速の減速が小さい。
【００７８】
すなわち、主流２１の平均的な流線は、側板側ディフューザ板１４の壁面に近い側は流線２１ｓのように径方向に立った流線となり、心板側ディフューザ板９の壁面に近い側の流線２１ｈは周方向に寝た流線となる。
【００７９】
このため、比較例の図８及び図９に示すように、側板側ディフューザ板１４及び心板側ディフューザ板９の壁面上に案内羽根が設置されていない構成のディフューザ２の場合、側板側ディフューザ板１４及び心板側ディフューザ板９の壁面近傍の境界層を流れる境界層流２２の流れが、前記主流２１ｓ、２１ｈの圧力勾配に耐え切れずに剥離し、逆流を引き起こすことになる。
【００８０】
上記した比較例のようなディフューザ２の壁面近傍の境界層を流れる境界層流２２の剥離や、逆流を防ぐためには、側板側ディフューザ板１４及び心板側ディフューザ板９の壁面上に案内羽根を設置し、境界層内部の流れも主流に沿った流れとすることが有効である。
【００８１】
ただし、ディフューザ２の壁面が非対称的に傾斜して形成されている場合、上述のように主流の流れがディフューザ２の高さ方向に変化するため、その流れの状況に合わせた案内羽根の設置が重要となる。
【００８２】
そこで、適切な案内羽根の設置を実現するため、本発明の第２実施例である遠心圧縮機１００のディフューザ２では、図１０及び図１１に示したように、傾斜の小さい側板側ディフューザ板１４の壁面上に設置した円弧状の案内羽根１２の入口羽根角は、傾斜の大きい心板側ディフューザ板９の壁面に設置した円弧状の案内羽根１３の入口羽根角に比べて径方向に立った角度で設置されている。
【００８３】
すなわち、案内羽根１２は、側板側ディフューザ板１４の壁面に近い側の主流２１ｓの流線に、案内羽根１３は、心板側ディフューザ板９の壁面に近い側の主流２１ｈの流線に沿うように、それぞれ入口羽根角を変えて設置されている。
【００８４】
このように本発明の実施例のディフューザ２においては、案内羽根１２の入口羽根角βｓ，ｉｎを、案内羽根１３の入口羽根角βｈ，ｉｎよりも大きくなるように設定することで、前記案内羽根１２、１３を主流２１ｓ、２１ｈの流線に沿った流れにそれぞれ設置することができる。この結果、側板側ディフューザ板１４及び心板側ディフューザ板９の壁面近傍の境界層域を流れる境界層流２２の剥離を防ぐと同時に、主流２１ｓ、２１ｈの流れ角と案内羽根１２及び案内羽根１３の各配設角度との不一致による損失の発生を防ぐことが可能となる。
【００８５】
本実施例の遠心圧縮機１００のディフューザ２を構成する側板側ディフューザ板１４及び心板側ディフューザ板９の壁面に配設した案内羽根１２及び案内羽根１３と、前記側板側ディフューザ板１４及び心板側ディフューザ板９の各壁面の傾き具合との関係を図１２及び図１３に示す。
【００８６】
図１２は本実施例におけるディフューザ壁面の傾き角と案内羽根の入口羽根角度を示す概念図であり、図１３は本実施例におけるディフューザ壁面の傾き角と案内羽根の入口羽根角度との関係を示す関係図であり、θｓは羽根車１の側板側に近い側板側ディフューザ板１４の壁面における半径方向から傾斜した側板側ディフューザ板１４の傾き角であり、θｈは羽根車１の心板側に近い心板側ディフューザ板９の壁面における半径方向から傾斜した心板側ディフューザ板９の傾き角である。但し、側板側ディフューザ板１４の傾き角θｓ、及び心板側ディフューザ板９の傾き角θｈは、ともにディフューザ２の流路幅が広がる向きに傾く方向を正として表示している。
【００８７】
本実施例のディフューザ２を構成する側板側ディフューザ板１４及び心板側ディフューザ板９の壁面にそれぞれ配設した案内羽根１２及び案内羽根１３は、案内羽根１２の入口羽根角βｓ，ｉｎ、案内羽根１３の入口羽根角βｈ，ｉｎが式（１）の関係を満たすように関係付けられている。
【００８８】
【数２】
2011089460.tif 000004
【００８９】
ここで、Ｋは羽根車１の出口の流れ状態に応じて設定されるべき定数であり、Ｋ＜０の値をとる。より限定的には、標準的な遠心圧縮機における流れの場合、−２＜Ｋ＜０の値をとる。
【００９０】
前記式（１）は、ディフューザ２を構成する側板側ディフューザ板１４の壁面の傾き角θｓと、心板側ディフューザ板９の壁面の傾き角θｈとの非対称性が大きいほど、案内羽根１２の入口羽根角βｓ，ｉｎと、案内羽根１３入口羽根角βｈ，ｉｎに大きな差をつけることを意味している。
【００９１】
このことは、側板側ディフューザ板１４の壁面の傾き角θｓと、心板側ディフューザ板９の壁面の傾き角θｈとの非対称性が大きいほど、ディフューザ２の入口の幅方向に流れの非一様性が誘起されるという物理的な変化に対応している。
【００９２】
ディフューザ２の側板側ディフューザ板１４の壁面の傾き角θｓと心板側ディフューザ板９の壁面の傾き角θｈとを合計した傾き角の合計値θｓ＋θｈは、６°から１２°の間の値に設定することが、ディフューザ２の壁面での圧力回復を最大化する上で適切であり、特に、傾き角の合計値θｓ＋θｈが、８°前後に設定することがディフューザ２における圧力回復量と作動範囲のバランスの観点から望ましい。
【００９３】
また、傾き角の合計値θｓ＋θｈを、１２°よりも大きくすると、ディフューザ２の壁面上で流れが剥離しやすく、ディフューザ２の流路を拡大した割にはディフューザ２の壁面近傍の境界層域を流れる境界層流の剥離によるブロッケージの効果が大きく、実質的な流路拡大効果が生まれなくなる。
【００９４】
また、傾き角の合計値θｓ＋θｈを、６°よりも小さくした場合は、ディフューザ２の壁面の拡大量が小さく、ディフューザ２による圧力回復の効果が小さい。
【００９５】
これに対して、傾き角の合計値θｓ＋θｈを、８°前後に設定した場合には、ディフューザ２による圧力回復量が大きく、また広い流入角の範囲の流れに対してディフューザ２の壁面近傍の境界層域を流れる境界層流が剥離しにくく、この結果、高い効率と広い作動範囲のディフューザ２を実現しやすい。
【００９６】
遠心圧縮機の羽根車１の出口流れが一様であると想定した場合、ディフューザ２の入口流れは、ディフューザ２の側板側ディフューザ板１４の壁面の傾き角θｓと、心板側ディフューザ板９の壁面の傾き角θｈとの非対称性が大きければ大きいほど、ディフューザ２の幅方向の非一様性が強まるという性質を持つ。
【００９７】
前記傾き角の合計値θｓ＋θｈが、６°から１２°の間の範囲にある場合には、ディフューザ２の入口における案内羽根１２の入口羽根角βｓ，ｉｎと案内羽根１３の入口羽根角βｈ，ｉｎとの差Δβ（Δβ＝βｓ，ｉｎ−βｈ，ｉｎ）は、ディフューザ２の側板側ディフューザ板１４の壁面の傾き角θｓと、心板側ディフューザ板９の壁面の傾き角θｈとの傾き角の差θｓ−θｈの絶対値と同程度であることが流れ解析から判明しており、式（１）のＫを−１前後として、ディフューザ２の案内羽根１２の入口羽根角βｓ，ｉｎ、及び案内羽根１３の入口羽根角βｈ，ｉｎをそれぞれ設定することが、効率が高く、作動範囲の広いディフューザ２を構成する上で有効である。
【００９８】
羽根車１の内部流れの影響により、羽根車１の出口の流れは、一般に、側板８側の流れが遅く、心板６側の流れが速くなりがちである。この場合は、特に、ディフューザ２の側板側ディフューザ板１４の壁面の傾き角θｓをθｓ＝０、心板側ディフューザ板９の傾き角θｈをθｈ＝８°と設定することで、羽根車１で生じた偏流を一様に近づける効果がある。
【００９９】
羽根車１の出口の流れの非一様性を、ディフューザ２の側板側ディフューザ板１４の壁面の傾き角θｓと、心板側ディフューザ板９の壁面の傾き角θｈとを非対称な傾きにしてキャンセルすることにより、流れが一様に近づくため、ディフューザ２の入口における案内羽根１２の入口羽根角βｓ，ｉｎと、案内羽根１３の入口羽根角βｈ，ｉｎとの差をそれほど大きくする必要がなくなる。
【０１００】
よって、羽根車１の出口の非一様性が強い場合、−１＜Ｋ＜０として、ディフューザ２の案内羽根１２及び案内羽根１３を設置することで、効率が高く、作動範囲の広いディフューザ２を構成することができる。
【０１０１】
また、ディフューザ２の側板側ディフューザ板１４の壁面の傾き角θｓ及び心板側ディフューザ板９の壁面の傾き角θｈを、θｓ＝０、もしくはθｈ＝０と設定した場合のディフューザ２においては、傾きの無い平面上の側板側ディフューザ板１４の壁面に案内羽根１２を設置、若しくは傾きの無い平面上の心板側ディフューザ板９の壁面に案内羽根１３を設置することになり、傾き角θｓ≠０、若しくは傾き角θｈ≠０である円錐面上の壁面に案内羽根１２、若しくは案内羽根１３を設置することに比べて構造がシンプルであるので製作コストを削減できる。
【０１０２】
案内羽根１２及び案内羽根１３をディフューザ２を構成する側板側ディフューザ板１４の壁面及び心板側ディフューザ板９の壁面からそれぞれ削り出して製作する場合、ディフューザ２を構成する前記側板側ディフューザ板１４の壁面及び心板側ディフューザ板９の壁面が平面の場合は二軸の加工機であれば加工できるが、このディフューザ２の前記各壁面が円錐面の場合には５軸の加工機でないと、案内羽根１２及び案内羽根１３を削りだすことができない。
【０１０３】
よって、加工コストに格段の差が現れる。また、案内羽根１２及び案内羽根１３を別途製作しておき、これらの案内羽根１２及び案内羽根１３を溶接などで前記側板側ディフューザ板１４の壁面及び心板側ディフューザ板９の壁面に接合してディフューザ２を製作する場合は、案内羽根１２及び案内羽根１３を円錐面に形成されている前記側板側ディフューザ板１４の壁面及び心板側ディフューザ板９の壁面に溶接して接合することは、案内羽根１２及び案内羽根１３の位置決めや接着が難しく、平面に形成された前記壁面への溶接に比べて製造コストが大幅に増加することになる。
【０１０４】
さらに、平面に形成された前記壁面に案内羽根１２、若しくは案内羽根１３を配設する場合、案内羽根１２、１３の形状を特に平面に垂直な線要素からなる形状にした方が、点切削ではなく線切削によって案内羽根１２、１３の羽根形状を削りだせるため、加工時間の短縮や、加工コストの低減を得ることができる。
【０１０５】
また、案内羽根１２、１３の羽根形状を単純な円弧で構成するようにすれば、ＮＣ加工機に入力するプログラムも簡素化でき、製作コストの低減に寄与できる。
【０１０６】
なお、上記した本実施例の遠心圧縮機１００は、ディフューザ２の上流側に側板８及び心板６を有する羽根車１が設置された構成として、ディフューザ２の原理、及び作用効果を説明したが、側板８及び心板６のないオープンな形状の羽根車１であってもディフューザ２には同様な作用効果を期待できる。
【０１０７】
本実施例によれば、ディフューザ内の逆流を防止すると共に、側板側の案内羽根と心板側の案内羽根の入口羽根角を適切に設定してディフューザの流れを幅方向に一様化させ、ディフューザの作動範囲を広く確保して圧縮機の効率を維持し、流体機械の小形化を達成するターボ型流体機械が実現できる。
【産業上の利用可能性】
【０１０８】
本発明は遠心圧縮機あるいは遠心送風機など高性能を維持し小形化に好適なターボ型流体機械に適用可能である。
【符号の説明】
【０１０９】
１：羽根車、２：ディフューザ、３：リターンチャネル、４：リターンベーン、５：回転軸、６：心板、７：羽根、８：側板、９：心板側ディフューザ板、、１１：作動流体、１２：案内羽根、１３：案内羽根、１４：側板側ディフューザ板、１５：吸込み管、１６：ケーシング、２１：主流、２１ｓ：主流、２１ｈ：主流、２２：境界層流、１００：遠心圧縮機、θ：ディフューザ壁面傾き角、β：羽根角度。
【図１】
2011089460.tif 000007
【図２】
2011089460.tif 000008
【図３】
2011089460.tif 000009
【図４】
2011089460.tif 000010
【図５】
2011089460.tif 000011
【図６】
2011089460.tif 000012
【図７】
2011089460.tif 000013
【図８】
2011089460.tif 000014
【図９】
2011089460.tif 000015
【図１０】
2011089460.tif 000016
【図１１】
2011089460.tif 000017
【図１２】
2011089460.tif 000018
【図１３】
2011089460.tif 000019